(57)【要約】【課題】シャーシベース組立体及びそれを適用したプラズマ表示装置の組立体を提供する。【解決手段】画像を具現するパネル組立体と結合されたシャーシベースと、シャーシベースの外面に設置され、締結部が形成されたブラケットと、締結部に結合され、フレキシブルプリンテッドケーブルによってパネル組立体との間で電気的信号を伝達する駆動回路部と、を備えるシャーシベース組立体である。これにより、シャーシベースの外面に付着させられたブラケットに駆動回路部が挿入されて固定される挿入溝を有する締結部が形成されるため、構造が簡単になり、ブラケットに対してフレキシブルプリンテッドケーブルが容易に固定される。【選択図】図１
2006235626.tif 000002
【特許請求の範囲】
【請求項１】
画像を具現するパネル組立体と結合されたシャーシベースと、
前記シャーシベースの外面に設置され、締結部が形成されたブラケットと、
前記締結部に結合され、フレキシブルプリンテッドケーブルによってパネル組立体との間で電気的信号を伝達する駆動回路部と、を備えるシャーシベース組立体。
【請求項２】
前記ブラケットは、前記シャーシベースの横方向または縦方向に沿って配置された複数のストリップを備えることを特徴とする請求項１に記載のシャーシベース組立体。
【請求項３】
前記締結部は、前記ブラケットの側壁から所定長さ突出し、駆動回路部のエッジ部が挿し込まれる挿入溝が形成されていることを特徴とする請求項２に記載のシャーシベース組立体。
【請求項４】
前記締結部は、前記ブラケットの側壁に形成されている挿入溝であることを特徴とする請求項２に記載のシャーシベース組立体。
【請求項５】
前記駆動回路部のエッジ部は、前記挿入溝に強制的に挿入されて固定されていることを特徴とする請求項３または４に記載のシャーシベース組立体。
【請求項６】
前記ブラケットは、弾性力を有する素材からなることを特徴とする請求項２に記載のシャーシベース組立体。
【請求項７】
前記ブラケットは、複合材またはプラスチックからなることを特徴とする請求項６に記載のシャーシベース組立体。
【請求項８】
前記ブラケットには、前記フレキシブルプリンテッドケーブルの配線が固定されるように複数のクランピング部がさらに設置されていることを特徴とする請求項１に記載のシャーシベース組立体。
【請求項９】
前記クランピング部は、前記ブラケットに形成された所定深さの溝形状をなし、前記配線は、前記溝に挿入されて固定されていることを特徴とする請求項８に記載のシャーシベース組立体。
【請求項１０】
前面パネル、及びこれと対向して配置された背面パネルを有し、所定の電圧を印加して画像を具現するパネル組立体と、
前記パネル組立体の後方に設置されて、パネル組立体を支持するシャーシベース、前記シャーシベースと結合された駆動回路部、前記パネル組立体と駆動回路部との間で電気的信号を伝達するフレキシブルプリンテッドケーブル、及び前記シャーシベースの外面に設置され、前記駆動回路部が結合される締結部が設置されたブラケットを備えるシャーシベース組立体と、
前記パネル組立体及び前記シャーシベース組立体を収容するケースと、を備えるプラズマ表示装置の組立体。
【請求項１１】
前記ブラケットは、前記シャーシベースの横方向または縦方向に沿って配置された複数の横及び縦ストリップを備えることを特徴とする請求項１０に記載のプラズマ表示装置の組立体。
【請求項１２】
前記横ストリップ及び縦ストリップは、少なくとも各々の一部が連結されて一体化していることを特徴とする請求項１１に記載のプラズマ表示装置組立体。
【請求項１３】
前記締結部は、前記ブラケットの側壁から所定長さ突出し、前記駆動回路部のエッジ部が強制的に挿入固定される挿入溝が形成されていることを特徴とする請求項１１に記載のプラズマ表示装置の組立体。
【請求項１４】
前記締結部は、前記ブラケットの側壁に形成されている挿入溝であり、前記駆動回路部のエッジ部は、前記挿入溝に強制的に嵌め込まれて固定されていることを特徴とする請求項１１に記載のプラズマ表示装置の組立体。
【請求項１５】
前記ブラケットは、弾性力を有する素材からなることを特徴とする請求項１０に記載のプラズマ表示装置の組立体。
【請求項１６】
前記ブラケットは、複合材またはプラスチックから選択された何れか一つからなることを特徴とする請求項１５に記載のプラズマ表示装置の組立体。
【請求項１７】
前記ブラケットには、前記フレキシブルプリンテッドケーブルの配線が固定されるクランピング部がさらに設置されていることを特徴とする請求項１０に記載のプラズマ表示装置の組立体。
【請求項１８】
前記クランピング部は、前記ブラケットに切り込みが入れられて形成された所定深さの溝形状をなし、前記フレキシブルプリンテッドケーブルは、前記溝に挿入されて固定されていることを特徴とする請求項１０に記載のプラズマ表示装置の組立体。
【発明の詳細な説明】
【技術分野】
【０００１】
本発明は、シャーシベースの一面に設置されたブラケットと、駆動回路部と結合される構造が改善されたシャーシベース組立体、及びそれを適用したプラズマ表示装置の組立体に関する。
【背景技術】
【０００２】
通常、プラズマ表示装置の組立体は、パネル組立体を組立て、パネル組立体の後方にシャーシベース組立体を組立て、シャーシベース組立体上に駆動回路部を実装し、パネル組立体及びシャーシベース組立体をケースに装着することによって製造される。
【０００３】
従来のシャーシベース組立体は、シャーシベースと、前記シャーシベースの外面に付着された複数のブラケットと、パネル組立体との間で電気的信号を伝達する駆動回路部と、を備える。
【０００４】
前記ブラケットは、シャーシベースの強度を補強するためにアルミニウム合金のような金属材からなり、シャーシベースの横方向または縦方向に沿ってストリップ形状に複数個付着させられている。前記駆動回路部は、ブラケット間の空いている空間に複数個設置されている。前記ブラケット及び駆動回路部は、ボスのような締結手段によってシャーシベースに固定されている。
【０００５】
最近は、従来のシャーシベースの組立を簡素化するために、ブラケットは水平又は鉛直方向に沿った向きの一体構造で製造されており、さらに、ブラケットに対して駆動回路部が結合されて一体となった構造について研究開発が進められている。
【発明の開示】
【発明が解決しようとする課題】
【０００６】
本発明が解決しようとする課題は、シャーシベースの外面にブラケットを設置し、ブラケットに駆動回路部及びフレキシブルプリンテッドケーブルを両方とも固定させうるシャーシベース組立体及びそれを採用したプラズマ表示装置の組立体を提供することである。
【課題を解決するための手段】
【０００７】
前記課題を達成するために本発明の一実施形態によるシャーシベース組立体は、画像を具現するパネル組立体と結合されたシャーシベースと、前記シャーシベースの外面に設置され、締結部が形成されたブラケットと、前記締結部に結合され、フレキシブルプリンテッドケーブルによってパネル組立体との間で電気的信号を伝達する駆動回路部と、を備える。
【０００８】
また、前記ブラケットは、前記シャーシベースの横方向または縦方向に沿って配置された複数のストリップからなることを特徴とする。
【０００９】
さらに、前記締結部は、ブラケットの側壁から所定長さ突出し、駆動回路部のエッジ部が挿し込まれる挿入溝が形成されていることを特徴とする。
【００１０】
また、前記締結部は、ブラケットの側壁に形成された挿入溝であることもできる。それと共に、前記ブラケットは、弾性力を有する素材からなることを特徴とする。
【００１１】
さらに、前記ブラケットには、前記フレキシブルプリンテッドケーブルの配線が固定されるように複数のクランピング部がさらに設置されていることを特徴とする。
【００１２】
本発明の他の実施形態によるプラズマ表示装置の組立体は、前面パネルと、それと対向するように配置された背面パネルを有し、所定の電圧を印加して画像を具現するパネル組立体と、前記パネル組立体の後方に設置され、パネル組立体を支持するシャーシベース、前記シャーシベースと結合された駆動回路部、前記パネル組立体と駆動回路部との間の電気的信号を伝達するフレキシブルプリンテッドケーブル、及び前記シャーシベースの外面に設置され、前記駆動回路部が結合される締結部が設置されたブラケットを備えるシャーシベース組立体と、前記パネル組立体、及びシャーシベース組立体の両方を収容するケースと、を備える。
【００１３】
また、前記ブラケットは、前記シャーシベースの横方向または縦方向に沿って配置された複数の横及び縦ストリップを備える。
【００１４】
しかも、前記横ストリップ（横ブラケット部）及び縦ストリップ（縦ブラケット部）は、少なくとも一部が互いに連結され一体化されていることを特徴とする。
【００１５】
さらに、前記締結部は、前記ブラケットの側壁から所定長さ突出し、前記駆動回路部のエッジ部が強制的に挿入されて固定される挿入溝が形成されていることを特徴とする。
【００１６】
また、前記締結部は、前記ブラケットの側壁に形成された挿入溝であることもでき、前記駆動回路部のエッジ部は、前記挿入溝に強制的に嵌め込まれて固定されることもできる。
【００１７】
さらに、前記ブラケットには、前記フレキシブルプリンテッドケーブルの配線が固定されるクランピング部がさらに設置されていることを特徴とする。
【発明の効果】
【００１８】
本発明のシャーシベース組立体及びそれを採用したプラズマ表示装置の組立体は、次のような効果を奏する。
【００１９】
第一に、シャーシベースの外面に付着されたブラケットに駆動回路部が挿入されて固定される挿入溝を有する締結部が形成されることによって構造が簡単になる。
【００２０】
第二に、ブラケットのクランピング部にフレキシブルプリンテッドケーブルが挿入固定される構造により、ブラケットに対してフレキシブルプリンテッドケーブルが容易に固定される。
【００２１】
第三に、ブラケットに締結部やクランピング部が同時に形成されることによって製造工程が単純になり、製造コストが節減される。
【００２２】
第四に、シャーシベースの外面の強度の脆弱な部分に横ブラケット部または縦ブラケット部を形成することによって、シャーシベースの強度を補強できる。
【発明を実施するための最良の形態】
【００２３】
以下、添付された図面を参照しつつ、本発明の望ましい実施形態によるプラズマ表示装置の組立体を詳細に説明する。
【００２４】
図１は、本発明の一実施形態によるプラズマ表示装置の組立体１００を示す図面である。
【００２５】
この図面を参照すれば、前記プラズマ表示装置の組立体１００は、前面パネル１０２と、前記前面パネル１０２と対向するように配置された背面パネル１０３とを有するパネル組立体１０１を備えている。前記前面パネル１０２の、背面パネル１０３に対向する面の周縁部には、フリットガラスが貼付されて、前面パネルと背面パネルとの間の内部空間を外部から密閉させる。
【００２６】
前記パネル組立体１０１の後方には、シャーシベース組立体２１０が配置されている。前記シャーシベース組立体２１０は、シャーシベース２１１と、前記シャーシベース２１１の背面に付着させられたブラケット２１２と、前記ブラケット２１２に結合される駆動回路部２１３と、前記パネル組立体１０１と駆動回路部２１３とを電気的に連結するフレキシブルプリンテッドケーブル２１５と、を備えている。
【００２７】
前記シャーシベース２１１は、接着手段によってパネル組立体１０１と結合されている。接着手段としては、背面パネル１０３の背面中央に付着させられた放熱シート１０５と、前記放熱シート１０５の周縁側に付着させられた両面テープ１０６と、を備えている。前記放熱シート１０５は、パネル組立体１０１から発生する熱を外部に排出できる。
【００２８】
前記駆動回路部２１３には、複数の回路素子２１４が実装されており、前記フレキシブルプリンテッドケーブル２１５は、パネル組立体１０１の各電極端子と駆動回路部２１３との間に接続されて、これらの電気的信号を相互伝達している。
【００２９】
前記パネル組立体１０１の前方には、フィルタ組立体１１１が設置されている。前記フィルタ組立体１１１は、駆動中にパネル組立体１０１から発生する電磁気波や赤外線や外光の反射を遮断するために設置されている。
【００３０】
前記パネル組立体１０１、シャーシベース組立体２１０及びフィルタ組立体１１１は、ケース１１４内に収容されている。前記ケース１１４は、前記フィルタ組立体１１１の前方に設置されたフロントキャビネット１１２と、前記シャーシベース組立体２１０の後方に設置されたカバーバック１１３とからなる。前記カバーバック１１３の上下端には、ベントホール１１３ａが形成されている。
【００３１】
一方、前記フィルタ組立体１１１の背面には、フィルタホルダー１１５が設置されている。前記フィルタホルダー１１５は、前記フロントキャビネット１１２に向かってフィルタ組立体１１１を加圧するプレス部１１５ａと、前記プレス部１１５ａの周縁部からパネル組立体１０１に向かって折り曲げられて形成されたフィックシング部１１５ｂとを備えている。前記フィックシング部１１５ｂには、複数の締結孔１１５ｃが形成されている。
【００３２】
そして、前記フロントキャビネット１１２の背面の周縁部には、フィルタ装着部１１６が設置されている。前記フィルタ装着部１１６に対応して前記フィックシング部１１５ｃが位置しており、これらに螺合するねじによって前記フロントキャビネット１１２に対してフィルタ組立体１１５が固定されている。
【００３３】
ここで、前記シャーシベース２１１の背面には、ブラケット２１２が設置され、前記ブラケット２１２には、締結手段によって駆動回路部２１３が挿入されて固定され、これと同時にフレキシブルプリンテッドケーブル２１５が固定されている。
【００３４】
さらに詳細には、下記に説明する通りである。
【００３５】
図２は、図１のシャーシベース組立体２１０を示す図面である。
【００３６】
この図面を参照すれば、前記シャーシベース組立体２１０には、画像を具現するパネル組立体１０１（図１参照）と結合されるシャーシベース２１１が設けられている。前記シャーシベース２１１は、平坦なプレートである。
【００３７】
前記シャーシベース２１１の背面には、その強度を補強するためのブラケット２１２が設置されている。前記ブラケット２１２は、シャーシベース２１１の横方向に沿って配置された横ストリップ（横ブラケット部２１６）と、縦方向に沿って配置された縦ストリップ（縦ブラケット部２１７）と、を備えている。前記横ブラケット部２１６及び縦ブラケット部２１７は、前記シャーシベース２１１の強度を補強する部分に配置されており、互いに連結されて一体型に製造されている。
【００３８】
前記ブラケット２１２には、前記駆動回路部２１３を締結するための締結部２１８が設置されている。また、前記ブラケット２１２には、前記フレキシブルプリンテッドケーブル２１５が挿入されて固定されるクランピング部２１９が設置されている。前記横ブラケット部２１６及び縦ブラケット部２１７のうち少なくとも何れか一つと駆動回路部２１３とが結合させられた構造は、図３に示した通りである。
【００３９】
この図面を参照すれば、２個の前記縦ブラケット部２１７が対向するように配置されている。このような一対の縦ブラケット部２１７の側壁には、所定長さの締結部２１８が突出形成されている。前記締結部２１８は、前記駆動回路部２１３のエッジ部に向かって縦ブラケット部２１７から延びている。前記締結部２１８の先端部には、所定深さの挿入溝２１８ａが形成されている。前記挿入溝２１８ａは、前記駆動回路部２１３のエッジ部を強制的に嵌め込むことが可能なサイズである。これにより、前記駆動回路部２１３は、そのエッジ部が前記挿入溝２１８ａに挿入された状態で、上下に移動させられてその位置を決定できる。
【００４０】
このとき、前記横ブラケット部２１６または縦ブラケット部２１７は、駆動回路部２１３が挿入されて固定される時に、弾性力を有して駆動回路部２１３を支持できるように、複合材やプラスチック材からなることが望ましいが、これに限定されず、金属材を使用してもよい。
【００４１】
代案としては、前記締結部２１８が横ブラケット部２１６または縦ブラケット部２１７の側壁から突出形成されるのではなく、横ブラケット部２１６または縦ブラケット部２１７の側壁に溝を形成して前記駆動回路部２１３を強制的に嵌め込むこともできる。
【００４２】
一方、前記ブラケット２１２にフレキシブルプリンテッドケーブル２１５が固定される構造は、図４に示した通りである。
【００４３】
この図面を参照すれば、前記横ブラケット部２１６には、その一部に切り込みが入れられてクランピング部２１９が形成される。前記クランピング部２１９は、前記横ブラケット部２１６の厚さ方向及び長手方向に沿って形成された断面Ｌ字形状に屈折した溝からなるものであって、前記横ブラケット部２１６だけでなく、縦ブラケット部２１７にも複数個設置されうる。前記横ブラケット部２１６には、フレキシブルプリンテッドケーブル２１５の配線２１５ａが挿し込まれて固定される。
【００４４】
前記のようなシャーシベース組立体２１０の製造過程を説明すれば、次の通りである。
【００４５】
まず、前記シャーシベース２１１の形状を作るための平坦なプレートを準備し、パネル組立体１０１と結合されるためのサイズに裁断する。
【００４６】
また、複合材やプラスチック材を利用して、前記シャーシベース２１１の背面に付着させられるブラケット２１２が形成される。前記ブラケット２１２は、互いに連結された構造を有するストリップ状の横ブラケット部２１６及び縦ブラケット部２１７を備え、前記シャーシベース２１１の横方向または縦方向に沿った向きに形成される。
【００４７】
このような横ブラケット部２１６及び縦ブラケット部２１７には、側壁から所定長さの締結部２１８が延びている。前記締結部２１８の端部には、挿入溝２１８ａが形成される。これと同時に、前記横ブラケット部２１６及び縦ブラケット部２１７には、屈折した溝状のクランピング部２１９が複数個形成される。
【００４８】
前記ブラケット２１２は、ＴＯＸ（登録商標）やリベットやねじによって、シャーシベース２１１の外面に堅固に固定される。
【００４９】
次いで、横ブラケット部２１６または縦ブラケット部２１７の側壁から突出した締結部２１８には、駆動回路部２１３が配置され、前記駆動回路部２１３のエッジ部は、前記締結部２１８の挿入溝２１８ａに強制的に嵌め込まれてその位置が決定される。
【００５０】
また、前記駆動回路部２１３とパネル組立体１０１の各電極端子とを電気的に連結するフレキシブルプリンテッドケーブル２１５の配線２１５ａは、前記横ブラケット部２１６または縦ブラケット部２１７に形成されたクランピング部２１９に挿し込まれて固定される。
【００５１】
本発明は、図面に示された実施形態を参考として説明されたが、これは、例示的なものに過ぎず、当業者ならば、これから多様な変形及び均等な他の実施形態が可能であるということが分かる。したがって、本発明の真の技術的保護範囲は、特許請求の範囲の技術的思想によって決定されねばならない。
【産業上の利用可能性】
【００５２】
本発明は、プラズマ表示装置の組立体関連の技術分野に適用可能である。
【図面の簡単な説明】
【００５３】
【図１】本発明の一実施形態によるプラズマ表示装置の組立体を示す分解斜視図である。
【図２】図１のシャーシベース組立体を示す斜視図である。
【図３】図２の締結手段が設置された部分を示す斜視図である。
【図４】図２のクランピング部が設置された部分を示す斜視図である。
【符号の説明】
【００５４】
１００    プラズマ表示装置の組立体、
１０１    パネル組立体、
１０２    前面パネル、
１０３    背面パネル、
１０５    放熱シート、
１０６    両面テープ、
１１１    フィルタ組立体、
１１２    フロントキャビネット、
１１３    カバーバック、
１１３ａ    ベントホール、
１１４    ケース、
１１５    フィルタホルダー、
１１５ａ    プレス部、
１１５ｂ    フィックシング部、
１１５ｃ    締結孔、
１１６    フィルタ装着部、
２１０    シャーシベース組立体、
２１１    シャーシベース、
２１２    ブラケット、
２１３    駆動回路部、
２１４    回路素子、
２１５    フレキシブルプリンテッドケーブル、
２１６    横ストリップ（横ブラケット部）、
２１７    縦ストリップ（縦ブラケット部）、
２１８    締結部、
２１９    クランピング部。
【図１】
2006235626.tif 000003
【図２】
2006235626.tif 000004
【図３】
2006235626.tif 000005
【図４】
2006235626.tif 000006